(57)【要約】      （修正有）【課題】避難した人々のプライバシーが守られる簡易に組み立てられ、また避難指令が解除された際には速やかに解体して片づけられる簡易組み立てハウスを提供する。【解決手段】複数の方形の段ボールパネルの縦方向の縁部を接合することで四方を壁材２で包囲された部屋Ｒを構築する組み立て式の簡易組み立てハウス１において、重複する縁部の任意の同じ高さ位置に複数の連結用透孔を形成し、連通状態の連結用透孔１４間に着脱可能にジョイント１３を装着し、隣接する部屋同士を隔てる仕切り壁５となる段ボールパネルを共通して有する直列に連結された複数の部屋Ｒ群を構築し、各部屋Ｒ毎に共通段ボールパネル以外の段ボールパネルに出入り口７を設けるようにする。【選択図】図１
0003137255.tif 000002
【実用新案登録請求の範囲】
【請求項１】
複数の方形の段ボールパネルの縦方向の縁部を接合することで四方を側面壁で包囲された部屋を構築する組み立て式の簡易組み立てハウスにおいて、
隣接して直交配置される前記段ボールパネル同士を接合する際には、同段ボールパネルのいずれか一方の縁を折り曲げて屈折縁部を形成させ同屈折縁部と他方の同段ボールパネルの縁部とを重複配置させて重複する同両縁部の任意の同じ高さ位置に連結用透孔を形成し、連通状態の同連結用透孔間に着脱可能に連結具を装着し、
隣接して直列配置される前記段ボールパネル同士を接合する際には、同両段ボールパネルの縁部同士を重複配置させて重複する同両縁部の任意の同じ高さ位置に連結用透孔を形成し、連通状態の同連結用透孔間に着脱可能に連結具を装着し、
隣接する部屋同士を隔てる仕切り壁となる前記段ボールパネルを共通して有する直列に連結された複数の部屋群を構築し、各部屋毎に同共通段ボールパネル以外の前記段ボールパネルに出入り口を設けるようにしたことを特徴とする簡易組み立てハウス。
【請求項２】
前記連結用透孔の近傍であって重複配置された前記縁部の任意の同じ高さ位置には作業用透孔が形成され、少なくとも１つの同作業用透孔には蓋が設けられていることを特徴とする請求項１に記載の簡易組み立てハウス。
【考案の詳細な説明】
【技術分野】
【０００１】
本考案は災害時に災害から避難した人々が一時手的に住まいするために収容施設（例えば、学校の体育館、公民館等）内に設置する簡易組み立てハウスに関するものである。
【背景技術】
【０００２】
台風や地震等の災害時において避難指令が出た際に避難した人々は避難所として学校の体育館、公民館のような施設に一時的に収容されるのが一般的である。
【考案の開示】
【考案が解決しようとする課題】
【０００３】
しかし、収容施設内ではなかなかプライバシーが確保されない。体育館などではオープンスペースに家族毎に寄り集まって自分らの寝場所や家財を置く場所を確保するのが精一杯であって、気軽に着替えや話ができないものである。そのため、従来から避難した人々のプライバシーが守られる簡易に組み立てられ、また避難指令が解除された際には速やかに解体して片づけられる簡易組み立てハウスが望まれていた。
【課題を解決するための手段】
【０００４】
複数の方形の段ボールパネルの縦方向の縁部を接合することで四方を側面壁で包囲された部屋を構築する組み立て式の簡易組み立てハウスにおいて、隣接して直交配置される前記段ボールパネル同士を接合する際には、同段ボールパネルのいずれか一方の縁を折り曲げて屈折縁部を形成させ同屈折縁部と他方の同段ボールパネルの縁部とを重複配置させて重複する同両縁部の任意の同じ高さ位置に連結用透孔を形成し、連通状態の同連結用透孔間に着脱可能に連結具を装着し、隣接して直列配置される前記段ボールパネル同士を接合する際には、同両段ボールパネルの縁部同士を重複配置させて重複する同両縁部の任意の同じ高さ位置に連結用透孔を形成し、連通状態の同連結用透孔間に着脱可能に連結具を装着し、隣接する部屋同士を隔てる仕切り壁となる前記段ボールパネルを共通して有する直列に連結された複数の部屋群を構築し、各部屋毎に同共通段ボールパネル以外の前記段ボールパネルに出入り口を設けるようにしたことをその要旨とする。
第２の手段では第１の手段に加え、前記連結用透孔の近傍であって重複配置された前記縁部の任意の同じ高さ位置には作業用透孔が形成され、少なくとも１つの同作業用透孔には蓋が設けられているようにしたことをその要旨とする。
【考案の効果】
【０００５】
上記各請求項の考案では、段ボールパネル数を効率的に使用して多くの部屋を構築することができ、連結具を着脱するだけで簡単に組み立てられ、また解体することが可能であるため災害時の避難用の簡易組み立てハウスとして最適である。
【考案を実施するための最良の形態】
【０００６】
以下、本考案における簡易組み立てハウスを具体化した一実施例を図面に基づいて説明する。
図１及び図２に示すよう簡易組み立てハウス１は上下が開放され四方が正方形あるいは長方形の段ボールパネルからなる壁材２によって包囲された部屋Ｒを備えている。壁材２はすべて同じ高さとされている。簡易組み立てハウス１では左右一対の隣接配置された部屋を一組として図２の矢印方向に直列に所望の組が連結されて長尺の連結体として構成されている。部屋Ｒの数は簡易組み立てハウス１が設置される収容施設の床面積等によって自由に決定される。ここでは矢印方向を長手方向とし、長手方向と直交する方向を横方向とする。
末端の部屋Ｒｅを除いて途中の各部屋Ｒは隣接する３つの部屋と壁材２としての仕切り壁５によって隔てられている。仕切り壁５は隣接する部屋Ｒ同士で表裏の関係で同じ仕切り壁５を共有する。末端の部屋部屋Ｒｅは長手方向において隣接する部屋Ｒがないため仕切り壁５は２方向のみとなる。
各部屋Ｒの長手方向に沿った外側に面した壁面（壁材２）は各部屋Ｒの固有の扉壁６とされている。各扉壁６には扉７が形成されている。扉７は壁材２を扉形状に切れ目７ａを入れるとともに切り離さないように扉のヒンジ側となる位置を切り残して折り曲げ可能とした簡易なものである。扉７にはハンドル８が設けられている。
【０００７】
次に、図２に基づいて壁材２同士の接合状態、つまり簡易組み立てハウス１の立体形状を構築している各壁材２の連結状態について説明する。壁材２の内、長手方向に対して直交する横方向に配設されたものは長さの異なる２種類の横方向壁材２ａ，２ｂとされている。壁材２の内、長手方向に沿ったものはいずれも同じ長さの縦方向壁材２ｃとされている。各縦方向壁材２ｃの縁部は直角に屈折されて屈折縁部９を形成している。
図２に示すように、横方向長さの異なる横方向壁材２ａ，２ｂは中央から少しずれた位置で両者の縁部１０同士が重ね合わされている。つまり一対の横方向壁材２ａ，２ｂが連結されて直列（一直線状）に壁面を構成している。連結された横方向壁材２ａ，２ｂは左右端部位置でそれぞれ隣接する部屋Ｒの扉壁６の屈折縁部９によって前後から挟まれている。つまり、屈折縁部９、縁部１０、屈折縁部９の順で重ね合わされている。左右の部屋Ｒを仕切る中央の仕切り壁５（縦方向壁材２ｃ）は長い側の横方向壁材２ａに対して屈折縁部９において当接している。つまり、屈折縁部９と縁部１０が重ね合わされている。
【０００８】
このような縁部９，１０同士の接合はジョイント１３によって実現されている。図２の円Ｐで囲んだ部分を一例として縁部９，１０の接合状態と接合方法について説明する。図３（ａ）に示すように３層に並んだ壁材２（横方向壁材２ａを縦方向壁材２ｃの間に挟んだ構造）の縁部９，１０にはそれぞれ角を丸く取った略長方形形状の同一形状の連結用透孔１４が形成されている。本実施例では図１に示すようにジョイント１３は上下方向に所定間隔で３つ配設するようになっているため、連結用透孔１４もすべての縁部９，１０の同高さ位置の３箇所に形成されている。各連結用透孔１４に隣接した上方位置には舌状のに切り欠かれた作業用透孔としての指挿入用透孔１５が形成されている。中間に配置される横方向壁材２ａの指挿入用透孔１５は段ボールを切り離さず切れ目１５ａのみが入れられており、ヒンジ側となる上部水平位置を切り残して折り曲げ可能な蓋１７が配置されることとなる。
ジョイント１３は複両面段ボール用のプラスチック製の部材であって、本実施例ではパナソニック社のＨＰ−６０１Ｗ３を使用した。もちろん、他のジョイントを使用することも自由である。
ジョイント１３は本体１６と、本体１６に回転軸を備え上下にそれぞれ１８０度回動可能な回動パッド１７，１８を備えており、図４に示すように本体１６を挿入側の縦方向壁材２ｃの表面に当接させながら回動パッド１７，１８に連結用透孔１４をくぐらせ、それぞれ上下方向に１８０度回動させて反対側の縦方向壁材２ｃの表面に当接させるように使用する。ジョイント１３の本体１６と回動パッド１７，１８によって３層の壁材２をしっかりと押さえ込むことが可能となるとともに（図４（ｂ）の状態）、作業者の一方側からの操作のみで縁部９，１０同士の接合が可能となるというものである。
この際に３層の壁材２が離間せずに密着させるようにするために図４（ａ）に示すように作業者は指挿入用透孔１５から指を挿入し、裏側の縦方向壁材２ｃを手前に引き寄せ３層の壁材２の密着化を図るようにする。このように指挿入用透孔１５が設けられているため作業者が例え１人でもジョイント１３をスムーズに取り付けることが可能である。また、中央に配された横方向壁材２ａには蓋１７があるため、簡易組み立てハウス１の完成後には指挿入用透孔１５から隣室が除かれてしまうことが防止されている。
このような構成の簡易組み立てハウス１では壁材２の枚数の割りに多くの部屋が構築でき、組み立ても解体も非常に容易であるため、災害時の避難用の簡易組み立てハウスとして最適である。
【０００９】
なお、この発明は，次のように変更して具体化することも可能である。
・ジョイント１３の数は上記では上下方向３箇所であったが、４箇所以上にする等その数は適宜変更可能である。
・縁部９，１０同士の重なり具合は上記図２は一例であって、重なりの順番は自由に変更可能である。
・上記簡易組み立てハウス１では左右一対を一組として２部屋が直列に連結されるような構造であったが、１部屋が直列に連結されるような構造でも、３部屋以上が直列に連結されるような構造でも構わない。
・指挿入用透孔１５の位置は上記実施例に限らない。
・各部屋Ｒに通気孔を形成することも自由である。
その他、本発明の趣旨を逸脱しない態様で実施することは自由である。
【図面の簡単な説明】
【００１０】
【図１】本実施例の簡易組み立てハウスの斜視図。
【図２】本実施例の簡易組み立てハウスの構造を説明する簡略化した平面図。
【図３】（ａ）は３層に並んだ壁材とジョイントの部分分解斜視図、（ｂ）はジョイントによって接合した状態の部分斜視図。
【図４】（ａ）は指で３層の壁材を密着させている状態の説明図、（ｂ）はジョイントによって接合した状態の側面図。
【符号の説明】
【００１１】
１…簡易組み立てハウス、２…側面壁としての壁材、５…仕切り壁、９…屈折縁部、１０…縁部、１３…ジョイント、１４…連結用透孔。
【図１】
0003137255.tif 000003
【図２】
0003137255.tif 000004
【図３】
0003137255.tif 000005
【図４】
0003137255.tif 000006